(57)【特許請求の範囲】
【請求項１】
駆動部側に配置される後部プレートと、該後部プレートとの間にあらかじめ設定された間隔を設けて形成された前部プレートと、前記後部プレートと前記前部プレートとの間に回転可能に支持されたローラ支持部材と、該ローラ支持部材の外周部周方向に等間隔で設けられた複数のローラと、円弧状のガイド面とを備えたポンプユニットを有し、前記ローラの外周面と前記ガイド面との間に可撓性を有するチューブを押圧挟持し、前記ローラ支持部材をローラ支持部材駆動軸で回転させて前記ローラを移動させることにより前記チューブ内の流体を送出するローラポンプにおいて、前記ガイド面を、該ガイド面の円弧中央部が前記ローラ支持部材の軸線に直交する方向に移動可能な可動側部材に設け、該可動側部材を前記ローラの外周面との間で前記チューブを挟持するポンプ作動位置と、前記ローラから離間したチューブ着脱位置とにスライド可能に設け、該可動側部材を前記ポンプ作動位置に固定する固定手段を設けるとともに、前記可動側部材の両端部と前記後部プレート及び前記前部プレートとの間にチューブ保持手段をそれぞれ設け、該チューブ保持手段は、可動側部材の両端部から可動側部材のスライド方向に平行に突設されたチューブ押圧部材と、該チューブ押圧部材に対向する状態で両プレート間に設けられたチューブ受部材とを有し、前記可動側部材がチューブ着脱位置にあるときにはチューブ押圧部材とチューブ受部材とが離間した開放状態となり、可動側部材がチューブ着脱位置からポンプ作動位置に移動したときに、ガイド面の両端から外方に突出したチューブをチューブ押圧部材がチューブ受部材に向けて押圧し、可動側部材がポンプ作動位置に到達したときに、チューブ受部材に設けたチューブ挟着溝とチューブ押圧部材に設けたチューブ挟着溝との間でチューブを挟着し、前記可動側部材における前記チューブ押圧部材の内側に、チューブガイド部材が上下動可能に設けられ、前記チューブガイド部材は、前記チューブガイド部材を上方に付勢するガイド部材付勢手段を有していることを特徴とするローラポンプ。
【請求項２】
前記チューブ受部材は、該チューブ受部材を前記チューブ押圧部材方向に付勢する付勢手段を有していることを特徴とする請求項１記載のローラポンプ。
【請求項３】
前記チューブ受部材は、前記チューブ押圧部材を内外から挟む内側チューブ受部材及び外側チューブ受部材で形成されていることを特徴とする請求項１又は２記載のローラポンプ。
【請求項４】
後部プレートの後面と前部プレートの前面とに、着脱可能なバヨネット結合部が設けられるとともに、前記ローラ支持部材駆動軸の前端及び後端に、互いに係合して回転力を伝達する凹凸係合部が設けられていることを特徴とする請求項１乃至３のいずれか１項記載のローラポンプ。
【請求項５】
前記後部プレートは、駆動部を収容した筐体の前面に、前記ローラ支持部材駆動軸を中心として回動可能に装着されていることを特徴とする請求項１乃至４のいずれか１項記載のローラポンプ。
【発明の詳細な説明】
【技術分野】
【０００１】
本発明は、ローラポンプに関し、詳しくは、理化学機器、化学分析機器、医療機器、産業機器等における試料などの送液に使用されるローラポンプに関する。
【背景技術】
【０００２】
理化学機器、化学分析機器、医療機器、産業機器等における試料などの送液に使用されるローラポンプとして、駆動軸を中心とする円軌跡上に、円弧状のガイド面を形成するとともに、該ガイド面の内周位置に複数のローラを自転可能かつ前記駆動軸を中心として公転可能に設け、ガイド面とローラとの間に送液用のチューブを挟持した状態で前記駆動軸を回転させてローラを公転させることにより、チューブ内の液体を送液する構造のものが知られている（例えば、特許文献１参照。）。
【０００３】
特許文献１に記載されたローラポンプでは、基板の中央部に回転可能に設けた駆動軸に、一対の円盤状のリテーナを所定間隔で固定し、該一対のリテーナの外周部に複数のローラを回転可能に支持するとともに、前記基板の一側部に、前記ガイド面を有するチューブ受部材の一端を回動可能に軸着してポンプ部を形成している。ローラポンプにチューブを着脱する際には、チューブ受部材を軸着部を中心として回動させて開状態とし、ガイド面を複数のローラから離間させた状態で複数のローラの外側にチューブをセットした後、チューブ受部材を閉状態に回動させてチューブ受部材の回動端をバネでローラ側に付勢することにより、複数のローラとガイド面との間にチューブを挟持させるようにしている。
【先行技術文献】
【特許文献】
【０００４】
【特許文献１】実開平２−１１９９８９号公報
【発明の概要】
【発明が解決しようとする課題】
【０００５】
しかし、特許文献１に記載されたローラポンプでは、ポンプ部にセットされるチューブの前後を、ねじ部材の締め付けによって保持しているため、ローラポンプに対するチューブの着脱が面倒であり、ねじ部材を強く締め付けるとチューブを押し潰して送液抵抗となり、締め付けが弱いとチューブが移動して送液量が不安定になったりするなどの問題があった。
【０００６】
そこで本発明は、ポンプ部へのチューブの着脱を容易に行うことができるとともに、チューブを確実に保持することができるローラポンプを提供することを目的としている。
【課題を解決するための手段】
【０００７】
上記目的を達成するため、本発明のローラポンプは、駆動部側に配置される後部プレートと、該後部プレートとの間にあらかじめ設定された間隔を設けて形成された前部プレートと、前記後部プレートと前記前部プレートとの間に回転可能に支持されたローラ支持部材と、該ローラ支持部材の外周部周方向に等間隔で設けられた複数のローラと、円弧状のガイド面とを備えたポンプユニットを有し、前記ローラの外周面と前記ガイド面との間に可撓性を有するチューブを押圧挟持し、前記ローラ支持部材をローラ支持部材駆動軸で回転させて前記ローラを移動させることにより前記チューブ内の流体を送出するローラポンプにおいて、前記ガイド面を、該ガイド面の円弧中央部が前記ローラ支持部材の軸線に直交する方向に移動可能な可動側部材に設け、該可動側部材を前記ローラの外周面との間で前記チューブを挟持するポンプ作動位置と、前記ローラから離間したチューブ着脱位置とにスライド可能に設け、該可動側部材を前記ポンプ作動位置に固定する固定手段を設けるとともに、前記可動側部材の両端部と前記両プレートとの間にチューブ保持手段をそれぞれ設け、該チューブ保持手段は、可動側部材の両端部から可動側部材のスライド方向に平行に突設されたチューブ押圧部材と、該チューブ押圧部材に対向する状態で両プレート間に設けられたチューブ受部材とを有し、前記可動側部材がチューブ着脱位置にあるときにはチューブ押圧部材とチューブ受部材とが離間した開放状態となり、可動側部材がチューブ着脱位置からポンプ作動位置に移動したときに、ガイド面の両端から外方に突出したチューブをチューブ押圧部材がチューブ受部材に向けて押圧し、可動側部材がポンプ作動位置に到達したときに、チューブ受部材に設けたチューブ挟着溝とチューブ押圧部材に設けたチューブ挟着溝との間でチューブを挟着し、前記可動側部材における前記チューブ押圧部材の内側に、チューブガイド部材が上下動可能に設けられ、前記チューブガイド部材は、前記チューブガイド部材を上方に付勢するガイド部材付勢手段を有していることを特徴としている。
【０００８】
さらに、本発明のローラポンプは、前記チューブ受部材は、該チューブ受部材を前記チューブ押圧部材方向に付勢する付勢手段を有していること、前記チューブ受部材は、前記チューブ押圧部材を内外から挟む内側チューブ受部材及び外側チューブ受部材で形成されていることを特徴としている。
【０００９】
また、後部プレートの後面と前部プレートの前面とに、着脱可能なバヨネット結合部が設けられるとともに、前記ローラ支持部材駆動軸の前端及び後端に、互いに係合して回転力を伝達する凹凸係合部が設けられていることを特徴とし、さらに、前記後部プレートは、駆動部を収容した筐体の前面に、前記ローラ支持部材駆動軸を中心として回動可能に装着されていることを特徴としている。
【発明の効果】
【００１０】
本発明のローラポンプによれば、可動側部材を移動させてチューブ押圧部材とチューブ受部材とを離間させたチューブ着脱位置で、可動側部材とローラの外周面との間にチューブを挿入した後、可動側部材をポンプ作動位置に向かって押し込んでいくと、可動側部材の移動に伴ってチューブ押圧部材がローラ部分の両側に延びるチューブを押圧しながら移動するので、可動側部材をポンプ作動位置に移動したときには、チューブに適度なテンションを掛けた状態でローラに押し付けることができ、ローラとガイド面との間にチューブを確実にセットすることができる。これにより、操作に不慣れな人でも、ローラポンプへのチューブのセットをバラツキなく確実に行うことができる。これにより、安定した送液が可能となり、送液量の均一化を図ることができる。
【図面の簡単な説明】
【００１１】
【図１】本発明のローラポンプの一形態例を示す斜視図である。
【図２】同じくローラポンプの正面図である。
【図３】同じくローラポンプの側面図である。
【図４】可動側部材をチューブ着脱位置に移動させた状態を示すローラポンプの斜視図である。
【図５】同じく可動側部材をチューブ着脱位置に移動させた状態を示すローラポンプの正面図である。
【図６】同じく可動側部材をチューブ着脱位置に移動させた状態を示すローラポンプの一部断面側面図である。
【図７】ポンプユニットを前面側から見た斜視図である。
【図８】ポンプユニットを後面側から見た斜視図である。
【図９】可動側部材及び前部プレートを分離した状態のポンプユニットを示す前面側から見た分解斜視図である。
【図１０】可動側部材及び前部プレートを分離した状態のポンプユニットを示す後面側から見た分解斜視図である。
【図１１】可動側部材をチューブ着脱位置に移動させてチューブを着脱する状態を示すポンプユニット内部の斜視図である。
【図１２】可動側部材をポンプ作動位置に移動させてチューブを保持した状態を示す断面図である。
【図１３】チューブを保持したポンプユニットを１８０度回動させた状態を示す断面図である。
【図１４】３個のポンプユニットを連結した状態を示す斜視図である。
【発明を実施するための形態】
【００１２】
図１乃至図１２は、本発明のローラポンプの一形態例を示している。本形態例に示すローラポンプは、筐体１１の内部に電源部、制御部、モータなどを収納した駆動部１２と、該駆動部１２の前面に装着されたポンプユニット２１とで形成されている。駆動部１２の前部上面には、各種スイッチ類やメータ類、表示灯類、送液量調節用ダイヤルなどを備えた操作盤１３が設けられている。また、筐体１１の前部側には、下向きコ字状の持ち運び用ハンドル１４が上下動可能に設けられており、該持ち運び用ハンドル１４の外面には、滑り止め１４ａが形成されている。
【００１３】
ポンプ部を構成するポンプユニット２１は、駆動部１２側に配置される後部プレート２２と、該後部プレート２２との間にあらかじめ設定された間隔を設けて形成された前部プレート２３と、前記後部プレート２２と前記前部プレート２３との間に回転可能に支持されたローラ支持部材２４と、該ローラ支持部材２４の外周部に回転可能な状態で等間隔に設けられた複数のローラ２５，２５とを有する固定側部材２６と、該固定側部材２６に対して移動可能に設けられた可動側部材２７とを備えており、該可動側部材２７の内面に、前記ローラ支持部材２４の回転軸線あるいはその近傍を中心とする円弧状のガイド面２８が形成されている。
【００１４】
固定側部材２６における前記後部プレート２２と前記前部プレート２３とは、下部の連結部２６ａを介して一体的に形成されており、左右両側方及び上半部には、前記可動側部材２７に対応した大きさの開口２６ｂが設けられている。また、筐体１１に取り付けられる固定側部材２６は、前記筐体１１の前壁１１ａに形成された円形開口１１ｂに回転可能に嵌合した外部取付部材２６ｃと内部取付部材２６ｄとを前部プレート２３側から挿入した取付ボルト２６ｅで固着することにより、筐体１１の前面に、前記ローラ支持部材２４の回転軸線を中心として回転可能に取り付けられている。さらに、後部プレート２２の両側部には、前部プレート２３側に突出した一対の可動側部材支持片３０が突出しており、該可動側部材支持片３０と後部プレート２２との角部に、前記可動側部材２７を上下方向にスライド可能に支持するためのガイド溝３１がそれぞれ設けられている。
【００１５】
ローラ支持部材２４は、駆動部１２のモータに連結されたローラ支持部材駆動軸３２に固着されており、ローラ支持部材駆動軸３２は、前後の各プレート２２，２３の中央を貫通した状態で回転可能に支持されている。
【００１６】
前記可動側部材２７は、前記ガイド溝３１にスライド可能に嵌合する一対のスライド部材３３を両側下部にそれぞれ有するもので、スライド部材３３がガイド溝３１に直線的にガイドされることより、固定側部材２６に対して、前記ガイド面２８の円弧中央部が前記ローラ支持部材２４の回転軸線に直交する上下方向に移動可能に形成されている。これにより、可動側部材２７は、前記ローラ２５，２５の外周面とガイド面２８との間で送液用のチューブ３４を挟持するポンプ作動位置と、前記ローラ２５，２５からガイド面２８が離間して、チューブ３４をローラ２５，２５とガイド面２８との間に着脱可能な状態となる着脱位置とにスライド可能となる。また、後部プレート２２の上部両側部分には、一対のボールプランジャ３５が設けられるとともに、可動側部材２７の後部プレート側の面の両側下部には、前記ボールプランジャ３５に弾発係合することにより、可動側部材２７を、前記着脱位置に保持するための一対のボール係合穴３６が設けられている。
【００１７】
さらに、可動側部材２７と前後両プレート２２，２３とには、可動側部材２７を前記ポンプ作動位置に固定するための固定手段３７が設けられている。この固定手段３７は、可動側部材２７の上部中央を前後方向に貫通した丸棒状のロック部材３８と、前後両プレート２２，２３の上部中央に形成されたロック溝３９とで形成されている。
【００１８】
ロック部材３８の両先端面には、丸棒の半分を切除した断面半円形状のキー部３８ａがそれぞれ突設されており、ロック部材３８の中央部には、可動側部材２７の上部に設けられたスリット２７ａを通して可動側部材２７の外部に突出する操作レバー４０が設けられている。前記ロック溝３９は、キー部３８ａの半径に対応した幅寸法に形成されたキー挿入溝３９ａと、該キー挿入溝３９ａの下端で、キー挿入溝３９ａの一側方に半円状に突出したキー係合部３９ｂとを有している。
【００１９】
この固定手段３７は、操作レバー４０を一側方に回動させたときに前記キー部３８ａがキー挿入溝３９ａを通過可能な状態となり、操作レバー４０を他側方に１８０度回動させてキー部３８ａをキー係合部３９ｂに係合させることにより、ポンプ作動位置において可動側部材２７を固定側部材２６に固定した状態にすることができる。
【００２０】
また、可動側部材２７と前後両プレート２２，２３との間には、チューブ保持手段４１が設けられている。このチューブ保持手段４１は、可動側部材２７の両端部から可動側部材２７のスライド方向に平行に、下方に向かってそれぞれ突設された一対のチューブ押圧部材４２と、該チューブ押圧部材４２に対向する状態で前後両プレート２２，２３間に設けられたチューブ受部材４３とを有している。チューブ受部材４３は、前記チューブ押圧部材４２を内外（左右）から挟む内側チューブ受部材４３ａ及び外側チューブ受部材４３ｂで形成されるとともに、該チューブ受部材４３をチューブ押圧部材４２の方向に付勢する付勢手段である受部材付勢用コイルバネ４３ｃによって上方に付勢されている。そして、チューブ押圧部材４２と各チューブ受部材４３ａ，４３ｂとには、チューブを保持するためのＶ字状のチューブ挟着溝４４ａ，４４ｂ，４４ｃが対向状態でそれぞれ形成されている。
【００２１】
さらに、可動側部材２７における前記チューブ押圧部材４２の内側には、チューブガイド部材４５が設けられている。チューブガイド部材４５は、可動側部材２７に形成した上下方向の支持溝４６にチューブガイド部材４５の基部が挿入されて上下動可能に設けられるとともに、支持溝４６下端部に設けられたガイド部材付勢用コイルバネ４７によって上方に付勢されている。また、チューブガイド部材４５の先端部は、前部プレート２３の後面に設けられたガイド溝４８内に上下動可能に挿入されている。また、チューブガイド部材４５の上面には、チューブガイド用凹部４５ａが設けられている。
【００２２】
また、筐体１１に取り付けられたポンプユニット２１に複数のポンプユニット２１を着脱可能に連結するため、後部プレート２２の後面と、前部プレート２３の前面とには、複数のポンプユニット２１を着脱可能に連結するための雄雌のバヨネット結合部５１，５２が設けられるとともに、ローラ支持部材駆動軸３２の前端及び後端には、互いに係合可能な凹凸係合部３２ａ，３２ｂがそれぞれ設けられている。後部プレート２２の後面に設けられた雄側バヨネット結合部５１は、ローラ支持部材駆動軸３２を中心とする環状座５１ａの外周に等間隔で４個の雄側係合爪５１ｂを設けたものであり、前部プレート２３の前面に設けられた雌側バヨネット結合部５２は、環状座５２ａの内周に等間隔で４個の雌側係合爪５２ｂを設けたものである。
【００２３】
このバヨネット結合部５１，５２は、雌側バヨネット結合部５２に対して雄側バヨネット結合部５１を４５度回動させることによって着脱可能に形成されている。さらに、雌側係合爪５２ｂの中央部に対応する前部プレート２３には、弾性係合突起５２ｃがそれぞれ一体的に設けられており、雄側係合爪５１ｂの中央部外面には、前記弾性係合突起５２ｃが係合する係合凹部５１ｃがそれぞれ設けられている。なお、筐体１１に取り付けられたポンプユニット２１では、ローラ支持部材駆動軸３２の後端側は駆動部１２のモータの駆動軸に適宜な連結部材で連結してもよく、後部プレート２２の後面の雄側バヨネット結合部５１は省略することができる。さらに、弾性係合突起５２ｃは、後部プレート２２と一体に形成することもでき、ボールプランジャなどの他の部材を取り付けて形成することもできる。
【００２４】
このように形成したローラポンプは、図４乃至図６に示すように、固定手段３７の操作レバー４０を一側方（正面から見て左側）に回動させてキー部３８ａがキー挿入溝３９ａを通過可能な状態としてから、駆動部１２に装着された固定側部材２６に対して可動側部材２７をチューブ３４の着脱位置に上昇させることにより、固定側部材２６と可動側部材２７との間にチューブ３４を挿入可能な開口が形成される。
【００２５】
次に、図１１に示すように、該開口の前方から固定側部材２６と可動側部材２７との間にチューブ３４を挿入し、チューブ３４の両側方下部をチューブガイド部材４５のチューブガイド用凹部４５ａに係合させた状態にするとともに、チューブガイド部材４５の外側に突出したチューブ３４の両側方上部をチューブ押圧部材４２のチューブ挟着溝４４ａに係合させた状態にする。このとき、ガイド部材付勢用コイルバネ４７によって上方に付勢されたチューブガイド部材４５のチューブガイド用凹部４５ａにチューブ３４を係合させることにより、開口から挿入したチューブ３４が所定位置に挿入されたことを確実に知ることができ、チューブ３４を所定の状態で確実にセットすることができる。
【００２６】
この状態で可動側部材２７を下方に移動させると、チューブ押圧部材４２がローラ２５の部分の両側に延びるチューブ３４を押圧しながら移動するので、チューブ３４に適度なテンションを掛けた状態でローラ２５に押し付けることができ、チューブ３４に弛みが生じることを防止できる。可動側部材２７を所定位置まで下降させると、可動側部材２７のガイド面２８がローラ２５に近接してガイド面２８とローラ２５との間でチューブ３４を所定のテンションを掛けて押圧挟持した状態になる。
【００２７】
また、チューブ押圧部材４２及びチューブガイド部材４５は、可動側部材２７の下降と共に下降し、チューブ押圧部材４２がチューブ３４をチューブ受部材４３に向けて押圧した状態になり、チューブ押圧部材４２のチューブ挟着溝４４ａと各チューブ受部材４３ａ，４３ｂのチューブ挟着溝４４ｂ，４４ｃとによってチューブ３４を挟み込んで保持した状態にする。このとき、チューブ挟着溝４４ａ，４４ｂ，４４ｃによってチューブ３４を挟み込むとともに、受部材付勢用コイルバネ４３ｃによってチューブ受部材４３をチューブ押圧部材４２の方向に押圧するようにしているので、外径が異なる複数種のチューブ３４の両側部分を確実に保持することができ、送液中にチューブ３４がずれることもなくなる。さらに、可動側部材２７を上下動させるだけでチューブ３４の着脱を行えることから、ボルトなどで締め付ける必要がある従来の構造に比べてチューブ３４の着脱作業を極めて容易に行うことができ、個人差を生じることなく、均一な状態でチューブ３４をセットすることができ、安定した状態で均一な送液量を得ることができる。
【００２８】
そして、図１２に示すように、操作レバー４０を他側方（正面から見て右側）に回動させてキー部３８ａをロック溝３９のキー係合部３９ｂに係合させて可動側部材２７をポンプ作動位置で固定側部材２６に固定した状態で駆動部１２を操作し、モータによってローラ支持部材駆動軸３２を所定方向、所定速度で回転させ、ガイド面２８との間でチューブ３４を押圧挟持した複数のローラ２５，２５を所定方向に回転移動させることにより、通常のローラポンプと同様にしてチューブ３４内の液体を所定流量で送液することができる。
【００２９】
また、固定側部材２６を筐体１１の前面に回転可能に取り付けているので、固定ボルトなどの着脱を行わずに、図１３に示すように、チューブ３４の最下端部をポンプユニット２１の下方に位置させることができる。これにより、何らかの原因でチューブ３４から液体が漏れ出した場合に、漏れた液体がローラ支持部材２４やローラ支持部材駆動軸３２に付着することを防止できるので、液体の付着によってローラ２５が回転不良を生じることが無くなる。また、液体が漏れてポンプユニット２１を洗浄する必要が生じたときでも、チューブ３４より下方に位置する可動側部材２７をポンプユニット２１から取り外して洗浄すればよく、部品点数が多く、可動部を含む固定側部材２６の洗浄を省略できるので、洗浄作業を容易に行うことができる。
【００３０】
さらに、ポンプユニット２１の前後にバヨネット結合部５１，５２を設けるとともに、ローラ支持部材駆動軸３２の前端及び後端に凹凸係合部３２ａ，３２ｂを設けているので、連結ボルトなどの着脱を行うことなく、凹凸係合部３２ａ，３２ｂを係合させ、バヨネット結合部５１，５２を結合させることにより、図１４に示すように、複数のポンプユニット２１を連結して複数の液体を同時に送ることが可能となる。また、バヨネット結合部５１，５２の結合角度を９０度ずつ変えることができるので、各ポンプユニット２１に装着するチューブ３４の角度を異なる方向にすることができ、各チューブ３４の識別性を向上させることができる。
【００３１】
なお、筐体の形状やポンプユニットの細部の形状は任意であり、ポンプユニットの固定側部材や可動側部材には、必要に応じて適当な形状の補強リブや肉盗み部を形成することができる。また、ローラの数も任意であり、自公転式のローラを採用することもできる。
【符号の説明】
【００３２】
１１…筐体、１１ａ…前壁、１１ｂ…円形開口、１２…駆動部、１３…操作盤、１４…持ち運び用ハンドル、１４ａ…滑り止め、２１…ポンプユニット、２２…後部プレート、２３…前部プレート、２４…ローラ支持部材、２５…ローラ、２６…固定側部材、２６ａ…連結部、２６ｂ…開口、２６ｃ…外部取付部材、２６ｄ…内部取付部材、２６ｅ…取付ボルト、２７…可動側部材、２７ａ…スリット、２８…ガイド面、３０…可動側部材支持片、３１…ガイド溝、３２…ローラ支持部材駆動軸、３２ａ，３２ｂ…凹凸係合部、３３…スライド部材、３４…チューブ、３５…ボールプランジャ、３６…ボール係合穴、３７…固定手段、３８…ロック部材、３８ａ…キー部、３９…ロック溝、３９ａ…キー挿入溝、３９ｂ…キー係合部、４０…操作レバー、４１…チューブ保持手段、４２…チューブ押圧部材、４３…チューブ受部材、４３ａ…内側チューブ受部材、４３ｂ…外側チューブ受部材、４３ｃ…受部材付勢用コイルバネ、４４ａ，４４ｂ，４４ｃ…チューブ挟着溝、４５…チューブガイド部材、４５ａ…チューブガイド用凹部、４６…支持溝、４７…ガイド部材付勢用コイルバネ、４８…ガイド溝、５１…雄側バヨネット結合部、５１ａ…環状座、５１ｂ…雄側係合爪、５１ｃ…係合凹部、５２…雌側バヨネット結合部、５２ａ…環状座、５２ｂ…雌側係合爪、５２ｃ…弾性係合突起
【図１】
0006723724.tif 000002
【図２】
0006723724.tif 000003
【図３】
0006723724.tif 000004
【図４】
0006723724.tif 000005
【図５】
0006723724.tif 000006
【図６】
0006723724.tif 000007
【図７】
0006723724.tif 000008
【図８】
0006723724.tif 000009
【図９】
0006723724.tif 000010
【図１０】
0006723724.tif 000011
【図１１】
0006723724.tif 000012
【図１２】
0006723724.tif 000013
【図１３】
0006723724.tif 000014
【図１４】
0006723724.tif 000015